(57)【特許請求の範囲】
【請求項１】
１つ以上のコンタクトと、
前記コンタクトの外周部を覆う金属からなるシェルと、
前記コンタクトおよび前記シェルを保持する絶縁性樹脂からなるハウジングと、
前記ハウジングの外周に配置されたリング状の防水部材と
を備え、
前記シェルは、前記ハウジングから露出して相手側コネクタに接続される嵌合部と、前記ハウジングから露出して基板に接続されるシェル側基板接続部と、前記嵌合部と前記シェル側基板接続部との間を接続し且つ前記ハウジング内に埋め込まれるシェル側固定部と、前記シェル側固定部の表面に形成され且つ前記シェル側固定部と前記ハウジングとの界面に沿った水の浸入を遮断するためのシェル側防水形状部とを有し、
前記コンタクトは、前記ハウジングから露出して相手側コネクタのコンタクトに接触する接点部と、前記ハウジングから露出して基板に接続されるコンタクト側基板接続部と、前記接点部と前記コンタクト側基板接続部との間を接続し且つ前記ハウジング内に埋め込まれるコンタクト側固定部と、前記コンタクト側固定部の表面に形成され且つ前記コンタクト側固定部と前記ハウジングとの界面に沿った水の浸入を遮断するためのコンタクト側防水形状部とを有し、
前記嵌合部は、互いに反対方向を向いた一対の平坦なシェル外面を有し、
前記シェル側固定部は、相手側コネクタとの嵌合軸の方向から見て前記嵌合部の前記シェル外面よりも前記嵌合軸側に配置され、
前記シェル側防水形状部と前記コンタクト側防水形状部と前記防水部材は、前記嵌合軸の方向において互いに重複する位置に配置され、
前記コンタクトは、互いに反対方向を向いた第１の面および第２の面を有する板状部材からなり、
前記接点部は、前記第１の面上に形成され、
前記接点部の近傍の前記第２の面に対向するように配置された金属からなるミッドプレートを有し、
前記ハウジングは、
前記ミッドプレートを保持し且つ前記コンタクト側防水形状部を露出させたまま前記接点部に隣接する前記コンタクト側固定部の前部が圧入される貫通孔が形成された第１インシュレータと、
前記シェル側防水形状部および前記コンタクト側防水形状部を覆うと共に前記シェル側固定部および前記第１インシュレータを保持する第２インシュレータと
を有していることを特徴とする防水コネクタ。
【請求項２】
前記嵌合軸は、前記基板の表面に対して平行に延び、
前記シェル側固定部は、前記コンタクト側固定部を挟んで前記基板の反対側に配置されている請求項１に記載の防水コネクタ。
【請求項３】
前記シェル側固定部は、それぞれ前記嵌合部と前記シェル側基板接続部との間を接続し且つ前記ハウジング内に埋め込まれる複数の分割固定部からなり、
前記シェル側防水形状部は、前記複数の分割固定部のそれぞれの表面に形成されている請求項２に記載の防水コネクタ。
【請求項４】
前記ハウジングは、それぞれ対応する前記シェル外面とほぼ同一面を形成し且つ前記防水部材が配置される一対の平坦なハウジング外面を有する請求項２または３に記載の防水コネクタ。
【請求項５】
前記防水部材は、前記ハウジングの外周に形成された環状の防水部材用溝に嵌め込まれている請求項４に記載の防水コネクタ。
【請求項６】
前記ハウジング外面に形成された前記防水部材用溝の底面は、前記嵌合軸の方向から見て前記嵌合部の内面よりも前記嵌合軸側に位置している請求項５に記載の防水コネクタ。
【請求項７】
環状の前記防水部材用溝のすべての底面は、前記嵌合軸の方向から見て前記嵌合部の内面よりも前記嵌合軸側に位置している請求項６に記載の防水コネクタ。
【請求項８】
前記接点部の近傍の前記第１の面に対向するように配置され且つ前記ミッドプレートおよび前記シェルに接続された金属からなるグランドプレートを有する請求項１〜７のいずれか一項に記載の防水コネクタ。
【請求項９】
前記１つ以上のコンタクトは、前記ミッドプレートを挟んで前記ミッドプレートの両面にそれぞれ対向するように配列された複数の第１コンタクトおよび複数の第２コンタクトを有する請求項１〜８のいずれか一項に記載の防水コネクタ。
【請求項１０】
前記第１インシュレータは、
前記ミッドプレートを保持し且つ前記貫通孔が形成されたミッドプレート保持部と、
前記コンタクト側基板接続部に隣接する前記コンタクト側固定部の後部に接触する後方保持部と、
前記嵌合軸の方向に延びて前記ミッドプレート保持部と前記後方保持部とを連結する連結部と
を有し、前記コンタクト側防水形状部は、前記ミッドプレート保持部と前記後方保持部との間に位置する請求項１〜９のいずれか一項に記載の防水コネクタ。
【請求項１１】
前記第１インシュレータの前記連結部は、前記第２インシュレータにより覆われ、
前記第１インシュレータの前記連結部の表面に、前記連結部と前記第２インシュレータとの界面に沿った水の浸入を遮断するためのハウジング側防水形状部が形成されている請求項１０に記載の防水コネクタ。
【請求項１２】
前記シェルは、
前記嵌合部および前記シェル側固定部を有する外周シェルと、
前記嵌合軸の方向に対する前記ハウジングの背面部から露出した前記コンタクト側基板接続部を覆うと共に前記外周シェルに接続されたバックシェルと
を有する請求項１〜１１のいずれか一項に記載の防水コネクタ。
【発明の詳細な説明】
【技術分野】
【０００１】
この発明は、防水コネクタに係り、特に、１つ以上のコンタクトとシェルを備えた防水コネクタに関する。
【背景技術】
【０００２】
近年、携帯型の電子機器が広く普及しているが、これらの電子機器においては、薄型化が進められると共に防水機能に対する要求が高く、これに伴い、電子機器に使用されるコネクタに対しても、薄型で且つ防水性を備えたものが望まれている。
また、伝送される電気信号が外部からの電磁波により影響を受けることを防止するため、電磁波に対するシールドがなされたコネクタの開発が進められている。
【０００３】
このような、防水性と電磁波シールドを兼ね備えたコネクタが、例えば、特許文献１に開示されている。このコネクタは、図１７に示されるように、絶縁性材料からなるハウジング１を筒形状の金属製のシェル２および導電接続のためのコンタクト３と共に一括成形した構造を有している。シェル２の内部に相手側コネクタを収容する相手側コネクタ収容部４が形成され、コンタクト３の一端は、相手側コネクタ収容部４内に露出して相手側コネクタのコンタクトと接触する接点部３Ａを形成し、コンタクト３の他端は、ハウジング１の背部から突出して基板５に接続される基板接続部３Ｂを形成している。
【０００４】
そして、ハウジング１の外周部と基板５に接続されたコンタクト３の基板接続部３Ｂとを覆うようにゴムからなる防水部材６がハウジング１に対して成形されている。さらに、シェル２の外周部と防水部材６の外周部は、電子機器の筐体７により覆われている。
シェル２でコンタクト３の接点部３Ａを覆うことにより電磁波に対するシールド効果を有し、ハウジング１をシェル２およびコンタクト３と共に一括成形し且つ防水部材６をハウジング１に対して成形することで、相手側コネクタ収容部４から基板５が位置する電子機器の内部への水の浸入を防止している。
【先行技術文献】
【特許文献】
【０００５】
【特許文献１】特開２０１３−５４８４４号公報
【発明の概要】
【発明が解決しようとする課題】
【０００６】
しかしながら、ハウジング１の外周部とコンタクト３の基板接続部３Ｂとを覆うように防水部材６をハウジング１に対して成形するので、コネクタの製造に手間がかかるという問題がある。
また、一般に、コンタクトおよびシェルを形成する金属材料とハウジングを形成する樹脂等の絶縁性材料とでは、互いに熱膨張係数が異なるため、例えば、コネクタを電子機器の回路基板に装着する際のハンダ付け作業時にコネクタが高温環境下に晒されると、金属材料の膨張量と絶縁性材料の膨張量とが異なり、ハウジングがコンタクトおよびシェルの表面から剥離することがある。
【０００７】
さらに、コネクタに相手側コネクタを嵌合する際に、嵌合軸に対して斜め方向から無理矢理嵌合するような、いわゆる意地悪嵌合が行われて、ハウジングとコンタクトおよびシェルとの間に大きな応力が作用した場合にも、ハウジングがコンタクトおよびシェルの表面から剥離することがある。
一旦、剥離が生じると、ハウジングを構成する絶縁性材料とコンタクトおよびシェルの表面との間に隙間が形成され、この隙間を通してコネクタ内部に水が浸入し、防水部材６をハウジング１に対して成形していてもコネクタの防水性が損なわれるおそれがある。
【０００８】
この発明は、このような従来の問題点を解消するためになされたもので、電磁波による影響を抑制すると共に防水性を向上させながらも容易に製造することができる薄型の防水コネクタを提供することを目的とする。
【課題を解決するための手段】
【０００９】
この発明に係る防水コネクタは、１つ以上のコンタクトと、コンタクトの外周部を覆う金属からなるシェルと、コンタクトおよびシェルを保持する絶縁性樹脂からなるハウジングと、ハウジングの外周に配置されたリング状の防水部材とを備え、シェルは、ハウジングから露出して相手側コネクタに接続される嵌合部と、ハウジングから露出して基板に接続されるシェル側基板接続部と、嵌合部とシェル側基板接続部との間を接続し且つハウジング内に埋め込まれるシェル側固定部と、シェル側固定部の表面に形成され且つシェル側固定部とハウジングとの界面に沿った水の浸入を遮断するためのシェル側防水形状部とを有し、コンタクトは、ハウジングから露出して相手側コネクタのコンタクトに接触する接点部と、ハウジングから露出して基板に接続されるコンタクト側基板接続部と、接点部とコンタクト側基板接続部との間を接続し且つハウジング内に埋め込まれるコンタクト側固定部と、コンタクト側固定部の表面に形成され且つコンタクト側固定部とハウジングとの界面に沿った水の浸入を遮断するためのコンタクト側防水形状部とを有し、嵌合部は、互いに反対方向を向いた一対の平坦なシェル外面を有し、シェル側固定部は、相手側コネクタとの嵌合軸の方向から見て嵌合部のシェル外面よりも嵌合軸側に配置され、シェル側防水形状部とコンタクト側防水形状部と防水部材は、嵌合軸の方向において互いに重複する位置に配置され、コンタクトは、互いに反対方向を向いた第１の面および第２の面を有する板状部材からなり、接点部は、第１の面上に形成され、接点部の近傍の第２の面に対向するように配置された金属からなるミッドプレートを有し、ハウジングは、ミッドプレートを保持し且つコンタクト側防水形状部を露出させたまま接点部に隣接するコンタクト側固定部の前部が圧入される貫通孔が形成された第１インシュレータと、シェル側防水形状部およびコンタクト側防水形状部を覆うと共にシェル側固定部および第１インシュレータを保持する第２インシュレータとを有しているものである。
【００１０】
嵌合軸は、基板の表面に対して平行に延び、シェル側固定部は、コンタクト側固定部を挟んで基板の反対側に配置されていることが好ましい。
シェル側固定部は、それぞれ嵌合部とシェル側基板接続部との間を接続し且つハウジング内に埋め込まれる複数の分割固定部からなり、シェル側防水形状部が、複数の分割固定部のそれぞれの表面に形成されるように構成することができる。
【００１１】
ハウジングは、それぞれ対応するシェル外面とほぼ同一面を形成し且つ防水部材が配置される一対の平坦なハウジング外面を有することが好ましい。
さらに、防水部材は、ハウジングの外周に形成された環状の防水部材用溝に嵌め込まれていることが好ましい。この場合、ハウジング外面に形成された防水部材用溝の底面は、嵌合軸の方向から見て嵌合部の内面よりも嵌合軸側に位置していることが好ましい。さらに、環状の防水部材用溝のすべての底面が、嵌合軸の方向から見て嵌合部の内面よりも嵌合軸側に位置するように構成してもよい。
【００１２】
接点部の近傍の第１の面に対向するように配置され且つミッドプレートおよびシェルに接続された金属からなるグランドプレートを有するように構成することができる。
１つ以上のコンタクトは、ミッドプレートを挟んでミッドプレートの両面にそれぞれ対向するように配列された複数の第１コンタクトおよび複数の第２コンタクトを有することができる。
【００１３】
この場合、第１インシュレータは、ミッドプレートを保持し且つ貫通孔が形成されたミッドプレート保持部と、コンタクト側基板接続部に隣接するコンタクト側固定部の後部に接触する後方保持部と、嵌合軸の方向に延びてミッドプレート保持部と後方保持部とを連結する連結部とを有し、コンタクト側防水形状部は、ミッドプレート保持部と後方保持部との間に位置することが好ましい。
さらに、第１インシュレータの連結部は、第２インシュレータにより覆われ、第１インシュレータの連結部の表面に、連結部と第２インシュレータとの界面に沿った水の浸入を遮断するためのハウジング側防水形状部が形成されていることが好ましい。
なお、シェルは、嵌合部およびシェル側固定部を有する外周シェルと、嵌合軸の方向に対するハウジングの背面部から露出したコンタクト側基板接続部を覆うと共に外周シェルに接続されたバックシェルとを有することが好ましい。
【発明の効果】
【００１４】
この発明によれば、シェルは、ハウジング内に埋め込まれるシェル側固定部の表面に形成されたシェル側防水形状部を有し、コンタクトは、ハウジング内に埋め込まれるコンタクト側固定部の表面に形成されたコンタクト側防水形状部を有し、シェル側固定部は、相手側コネクタとの嵌合軸の方向から見て嵌合部のシェル外面よりも嵌合軸側に配置され、シェル側防水形状部とコンタクト側防水形状部と防水部材は、嵌合軸の方向において互いに重複する位置に配置されているので、電磁波による影響を抑制すると共に防水性を向上させながらも製造が容易な薄型の防水コネクタを実現することが可能となる。
【図面の簡単な説明】
【００１５】
【図１】この発明の実施の形態に係るコネクタを示し、（Ａ）は正面側の斜め上方から見た斜視図、（Ｂ）は正面側の斜め下方から見た斜視図、（Ｃ）は背面側の斜め上方から見た斜視図である。
【図２】実施の形態に係るコネクタに用いられたミッドプレートを示す斜視図である。
【図３】実施の形態に係るコネクタに用いられた複数の第１コンタクトを示す斜視図である。
【図４】実施の形態に係るコネクタに用いられた複数の第２コンタクトを示す斜視図である。
【図５】実施の形態に係るコネクタに用いられた外周シェルを示す斜視図である。
【図６】第１コンタクトと第２コンタクトと外周シェルの第１分割固定部を通るＹＺ面で切断した実施の形態に係るコネクタの側面断面図である。
【図７】実施の形態に係るコネクタに用いられたグランドプレートを示す斜視図である。
【図８】実施の形態に係るコネクタに用いられた第１インシュレータを示す斜視図である。
【図９】第１インシュレータの連結部を通るＹＺ面で切断した実施の形態に係るコネクタの側面断面図である。
【図１０】外周シェルの第２分割固定部を通るＹＺ面で切断した実施の形態に係るコネクタの側面断面図である。
【図１１】ミッドプレートを通るＸＹ面で切断した実施の形態に係るコネクタの平面断面図である。
【図１２】シェルの第１分割固定部を通るＸＹ面で切断した実施の形態に係るコネクタの平面断面図である。
【図１３】第１コンタクトを通るＸＹ面で切断した実施の形態に係るコネクタの平面断面図である。
【図１４】第２コンタクトを通るＸＹ面で切断した実施の形態に係るコネクタの平面断面図である。
【図１５】第２インシュレータを成形する前の状態の実施の形態に係るコネクタを示す平面図である。
【図１６】防水部材を省略した状態の実施の形態に係るコネクタを示す斜視図である。
【図１７】従来のコネクタを示す側面断面図である。
【発明を実施するための形態】
【００１６】
以下、この発明の実施の形態を添付図面に基づいて説明する。
図１（Ａ）〜（Ｃ）に、実施の形態に係るコネクタを示す。このコネクタは、携帯機器および情報機器等の電子機器内における基板に固定されるレセプタクルコネクタで、相手側コネクタとの嵌合軸Ｃに沿って延び且つ金属からなるミッドプレート１１と、ミッドプレート１１を挟んでミッドプレート１１の両面にそれぞれ対向するように配列された複数の第１コンタクト１２および複数の第２コンタクト１３を有している。それぞれの第１コンタクト１２および第２コンタクト１３は、嵌合軸Ｃと平行に延びている。また、複数の第１コンタクト１２および複数の第２コンタクト１３の外周部を覆うように金属からなるシェル１４が配置されている。
【００１７】
ここで、便宜上、嵌合軸Ｃに沿ってコネクタの前部から後部に向かう方向をＹ方向、複数の第１コンタクト１２および複数の第２コンタクト１３の配列方向をＸ方向、ＸＹ面に垂直で且つ第２コンタクト１３側から第１コンタクト１２側へ向かう方向をＺ方向と呼ぶこととする。
【００１８】
シェル１４は、複数の第１コンタクト１２および複数の第２コンタクト１３の前部すなわち−Ｙ方向部分の外周部を覆う外周シェル１５と、複数の第１コンタクト１２および複数の第２コンタクト１３の背部を覆い且つ外周シェル１５に接続されたバックシェル１６を有している。外周シェル１５は、嵌合軸Ｃを中心軸とし且つＺ方向の寸法よりもＸ方向の寸法の方が長い扁平な筒状の嵌合部１５Ａを有し、嵌合部１５Ａの内部に相手側コネクタが挿入される相手側コネクタ収容部１５Ｂが形成され、複数の第１コンタクト１２および複数の第２コンタクト１３の前部は、それぞれ、相手側コネクタ収容部１５Ｂ内に突出している。
【００１９】
ミッドプレート１１は、絶縁性樹脂からなる第１インシュレータ１７に一体に成形されることにより第１インシュレータ１７に保持されており、第１インシュレータ１７に形成された嵌合軸Ｃと平行な複数の貫通孔１７Ａに複数の第１コンタクト１２および複数の第２コンタクト１３がそれぞれ圧入されることで、複数の第１コンタクト１２および複数の第２コンタクト１３が第１インシュレータ１７に保持されている。
また、外周シェル１５、複数の第１コンタクト１２、複数の第２コンタクト１３および第１インシュレータ１７のそれぞれの後部部分すなわち＋Ｙ方向部分に絶縁性樹脂からなる第２インシュレータ１８が一体に成形されており、第１インシュレータ１７と第２インシュレータ１８によってハウジング１９が形成されている。
【００２０】
第２インシュレータ１８の外周部にゴム等の弾性材料からなるリング状の防水部材２０が配置されている。
バックシェル１６は、Ｘ方向に沿って互いに反対方向に突出形成された一対の固定用突起１６Ａを有し、これらの固定用突起１６Ａを第２インシュレータ１８にＺ方向に沿って形成されている一対の固定用溝１８Ａに圧入することにより、第２インシュレータ１８の＋Ｙ方向端部に固定されている。バックシェル１６には、それぞれ−Ｚ方向に延びる一対のシェル側基板接続部１６Ｂが形成されている。
【００２１】
図２に示されるように、ミッドプレート１１は、ＸＹ面に沿って延びる平板部１１Ａを有し、平板部１１Ａの−Ｙ方向側の＋Ｘ方向端部および−Ｘ方向端部に、それぞれ相手側コネクタ連結部１１Ｂが形成されると共に、平板部１１Ａの＋Ｙ方向側の＋Ｘ方向端部および−Ｘ方向端部に、それぞれグランドプレート接続部１１Ｃが＋Ｚ方向に突出形成されている。
【００２２】
図３に示されるように、第１コンタクト１２は、＋Ｚ方向を向いた第１の面と−Ｚ方向を向いた第２の面を有する、Ｙ方向に伸張する板状部材からなり、−Ｙ方向端部に相手側コネクタ収容部１５Ｂに露出する接点部１２Ａを有し、中間部分にハウジング１９に埋め込まれて固定されるコンタクト側固定部１２Ｂを有し、＋Ｙ方向端部に図示しない基板に接続されるコンタクト側基板接続部１２Ｃを有している。接点部１２Ａにおける＋Ｚ方向を向いた第１の面は、相手側コネクタ収容部１５Ｂに挿入された相手側コネクタのコンタクトに接触し、接点部１２Ａとコンタクト側固定部１２Ｂとが、互いに同一のＸＹ平面上に平板状に延びている。コンタクト側固定部１２Ｂに接続されるコンタクト側基板接続部１２Ｃは、ハウジング１９の背部に突出し、コンタクト側固定部１２Ｂに対し−Ｚ方向側に屈曲している。
さらに、コンタクト側固定部１２Ｂの−Ｙ方向側部分に、第１インシュレータ１７の貫通孔１７Ａへの固定用の突起１２Ｄが突出形成され、コンタクト側固定部１２Ｂの＋Ｙ方向側部分の表面上に、ハウジング１９との界面に沿った水の浸入を遮断するためのコンタクト側防水形状部１２Ｅが形成されている。
【００２３】
図４に示されるように、第２コンタクト１３は、−Ｚ方向を向いた第１の面と＋Ｚ方向を向いた第２の面を有する、Ｙ方向に伸張する板状部材からなり、−Ｙ方向端部に相手側コネクタ収容部１５Ｂに露出する接点部１３Ａを有し、中間部分にハウジング１９に埋め込まれて固定されるコンタクト側固定部１３Ｂを有し、＋Ｙ方向端部に図示しない基板に接続されるコンタクト側基板接続部１３Ｃを有している。接点部１３Ａにおける−Ｚ方向を向いた第１の面は、相手側コネクタ収容部１５Ｂに挿入された相手側コネクタのコンタクトに接触し、接点部１３Ａとコンタクト側固定部１３Ｂとが、互いに同一のＸＹ平面上に平板状に延びている。コンタクト側固定部１３Ｂに接続されるコンタクト側基板接続部１３Ｃは、ハウジング１９の背部に突出し、コンタクト側固定部１３Ｂに対し屈曲してバックシェル１６の−Ｚ方向側に露出する。
さらに、コンタクト側固定部１３Ｂの−Ｙ方向側部分に、第１インシュレータ１７の貫通孔１７Ａへの固定用の突起１３Ｄが突出形成され、コンタクト側固定部１３Ｂの＋Ｙ方向側部分の表面上に、ハウジング１９との界面に沿った水の浸入を遮断するためのコンタクト側防水形状部１３Ｅが形成されている。
【００２４】
図５に外周シェル１５の構成を示す。扁平な筒形状の嵌合部１５Ａは、それぞれＸＹ面に沿って延び且つ互いに反対方向を向いた一対の平坦なシェル外面１５Ｃを有している。嵌合部１５Ａの＋Ｚ方向側の＋Ｙ方向端部から、６本の第１分割固定部１５Ｄが、それぞれ一旦−Ｚ方向へ屈曲した後に＋Ｙ方向に延びている。それぞれの第１分割固定部１５Ｄは、一旦−Ｚ方向へ屈曲することで、嵌合軸Ｃの方向から見て、＋Ｚ方向側のシェル外面１５Ｃよりも嵌合軸Ｃ側すなわち−Ｚ方向側に配置されており、それぞれの第１分割固定部１５ＤのＹ方向における中間部分の表面上にシェル側防水形状部１５Ｅが形成されている。
また、嵌合部１５Ａの＋Ｘ方向端部および−Ｘ方向端部から、２本の第２分割固定部１５Ｆが、それぞれ＋Ｙ方向に延びている。それぞれの第２分割固定部１５ＦのＹ方向における中間部分の表面上にシェル側防水形状部１５Ｇが形成され、＋Ｙ方向端部には、−Ｚ方向に向かって突出するシェル側基板接続部１５Ｈが形成されている。
【００２５】
図６に示されるように、第１インシュレータ１７は、ミッドプレート１１を保持するミッドプレート保持部１７Ｂと、ミッドプレート保持部１７Ｂから＋Ｙ方向側に離れた後方保持部１７Ｃとを有しており、第１コンタクト１２のコンタクト側固定部１２Ｂの−Ｙ方向側部分および第２コンタクト１３のコンタクト側固定部１３Ｂの−Ｙ方向側部分がミッドプレート保持部１７Ｂに形成された対応する貫通孔１７Ａ内に挿入され、コンタクト側基板接続部１２Ｃに隣接するコンタクト側固定部１２Ｂの＋Ｙ方向端部およびコンタクト側基板接続部１３Ｃに隣接するコンタクト側固定部１３Ｂの＋Ｙ方向端部が後方保持部１７Ｃに接触して保持されている。
また、ミッドプレート１１は、第１コンタクト１２の−Ｚ方向を向いた第２の面と第２コンタクト１３の＋Ｚ方向を向いた第２の面に対向するように、第１コンタクト１２と第２コンタクト１３の間に配置されている。
【００２６】
コンタクト側固定部１２Ｂの＋Ｙ方向側部分およびコンタクト側固定部１３Ｂの＋Ｙ方向側部分と外周シェル１５の第１分割固定部１５Ｄは、第２インシュレータ１８内に埋め込まれており、コンタクト側固定部１２Ｂの表面に形成されているコンタクト側防水形状部１２Ｅおよびコンタクト側固定部１３Ｂの表面に形成されているコンタクト側防水形状部１３Ｅと第１分割固定部１５Ｄの表面に形成されているシェル側防水形状部１５Ｅは、嵌合軸Ｃに沿ったＹ方向において互いに重複する位置に配置されている。
【００２７】
さらに、第２インシュレータ１８は、それぞれＸＹ面に沿って延び且つ互いに反対方向を向いた一対の平坦なハウジング外面１８Ｂを有しており、これらのハウジング外面１８Ｂは、外周シェル１５の嵌合部１５Ａの対応するシェル外面１５Ｃとほぼ同一面を形成している。
また、第２インシュレータ１８の外周部には、コンタクト側防水形状部１２Ｅ，１３Ｅおよびシェル側防水形状部１５ＥとＹ方向において重複する位置に環状の防水部材用溝１８Ｃが形成され、この防水部材用溝１８Ｃにリング状の防水部材２０が嵌め込まれている。Ｚ方向において、防水部材用溝１８Ｃの底面は、嵌合軸Ｃの方向から見て外周シェル１５の嵌合部１５Ａの内面よりも嵌合軸Ｃ側に位置しており、これにより、Ｚ方向の厚さの大きな防水部材２０を防水部材用溝１８Ｃに配置しても、防水部材２０の位置におけるコネクタのＺ方向高さを小さく抑えることができる。
【００２８】
第１インシュレータ１７の貫通孔１７Ａに圧入される第１コンタクト１２のコンタクト側固定部１２Ｂおよび第２コンタクト１３のコンタクト側固定部１３Ｂの外周部を覆うように金属からなるグランドプレート２１が配置されている。グランドプレート２１は、第１インシュレータ１７を介して第１コンタクト１２のコンタクト側固定部１２Ｂの−Ｙ方向側部分の＋Ｚ方向を向いた第１の面に対向するように配置される平坦部２１Ａと、第１インシュレータ１７を介して第２コンタクト１３のコンタクト側固定部１３Ｂの−Ｙ方向側部分の−Ｚ方向を向いた第１の面に対向するように配置される平坦部２１Ｂを有し、平坦部２１Ａが外周シェル１５の第１分割固定部１５Ｄに接続されている。
【００２９】
また、図示しないが、ミッドプレート１１の一対のグランドプレート接続部１１Ｃがグランドプレート２１の平坦部２１Ａに接続されており、ミッドプレート１１が、グランドプレート２１を介して外周シェル１５に接続されている。さらに、外周シェル１５の第１分割固定部１５Ｄの＋Ｙ方向端部は、第２インシュレータ１８の背部に露出し、バックシェル１６に接続されている。このため、バックシェル１６の一対のシェル側基板接続部１６Ｂを電子機器内の基板に接続してグランド電位とすることにより、ミッドプレート１１、グランドプレート２１、外周シェル１５およびバックシェル１６が共にグランド電位となる。
【００３０】
図７に示されるように、グランドプレート２１の平坦部２１Ａおよび２１Ｂは、それぞれＸＹ面に沿って延び、接続部２１ＣによりＺ方向に接続されている。平坦部２１Ａおよび２１Ｂには、それぞれ、−Ｙ方向に向かって開放された複数の切り欠き２１Ｄが形成され、接続部２１Ｃには、複数の第１コンタクト１２および複数の第２コンタクト１３を通すための開口部２１Ｅが形成されている。
【００３１】
図８に示されるように、第１インシュレータ１７のミッドプレート保持部１７Ｂは、ＸＹ面に沿って延びるほぼ平板形状を有し、ミッドプレート保持部１７Ｂから＋Ｙ方向側に離れた後方保持部１７Ｃは、Ｘ方向に延びた形状を有し、ミッドプレート保持部１７Ｂの＋Ｘ方向端部および−Ｘ方向端部と後方保持部１７Ｃの＋Ｘ方向端部および−Ｘ方向端部が、それぞれ連結部１７Ｄにより連結されている。
ミッドプレート保持部１７Ｂと後方保持部１７Ｃと一対の連結部１７Ｄにより囲まれた開口部１７Ｅが形成され、一対の連結部１７Ｄの表面上には、ハウジング側防水形状部１７Ｆが形成されている。
【００３２】
ミッドプレート保持部１７Ｂの＋Ｙ方向側部分に、複数の第１コンタクト１２に対応する複数の貫通孔１７Ａと複数の第２コンタクト１３に対応する複数の貫通孔１７Ａが、互いにＺ方向に間隔を隔てて２列に配列されており、ミッドプレート保持部１７Ｂの−Ｙ方向側部分には、複数の第１コンタクト１２および複数の第２コンタクト１３が挿入される複数のコンタクト用溝１７Ｇが、それぞれ対応する貫通孔１７Ａに接続された位置に形成されている。
また、ミッドプレート保持部１７Ｂの＋Ｙ方向側部分の＋Ｚ方向側の外面および−Ｚ方向側の外面に、それぞれグランドプレート２１の切り欠き２１Ｄに嵌め込まれる凸部１７Ｈが突出形成されている。
【００３３】
図９に示されるように、第１インシュレータ１７の連結部１７Ｄは、第２インシュレータ１８内に埋め込まれており、連結部１７Ｄの表面に形成されているハウジング側防水形状部１７Ｆは、嵌合軸Ｃに沿ったＹ方向において防水部材２０と重複する位置に配置されている。
また、図１０に示されるように、外周シェル１５の第２分割固定部１５Ｆも、第２インシュレータ１８内に埋め込まれており、第２分割固定部１５Ｆの表面に形成されているシェル側防水形状部１５Ｇも、嵌合軸Ｃに沿ったＹ方向において防水部材２０と重複する位置に配置されている。
【００３４】
図１１に示されるように、第１インシュレータ１７の開口部１７Ｅは、第２インシュレータ１８を形成する絶縁性樹脂により充填され、第１インシュレータ１７のミッドプレート保持部１７Ｂと後方保持部１７Ｃとの間に位置している複数の第１コンタクト１２のコンタクト側防水形状部１２Ｅおよび複数の第２コンタクト１３のコンタクト側防水形状部１３Ｅが第２インシュレータ１８内に埋め込まれている。
また、図１１には、外周シェル１５の２本の第２分割固定部１５Ｆの表面に形成されているシェル側防水形状部１５ＧがＹ方向において防水部材２０と重複する位置で第２インシュレータ１８内に埋め込まれている様子が示されている。
【００３５】
図１２に示されるように、グランドプレート２１の切り欠き２１Ｄに第１インシュレータ１７の凸部１７Ｈが嵌め込まれ、複数の第１コンタクト１２が対応するコンタクト用溝１７Ｇに挿入されている。
また、図１２には、外周シェル１５の６本の第１分割固定部１５Ｄの表面に形成されているシェル側防水形状部１５ＥがＹ方向において防水部材２０と重複する位置で第２インシュレータ１８内に埋め込まれている様子が示されている。
【００３６】
さらに、図１３には、複数の第１コンタクト１２のコンタクト側固定部１２Ｂの表面に形成されているコンタクト側防水形状部１２ＥがＹ方向において防水部材２０と重複する位置で第２インシュレータ１８内に埋め込まれている様子が示され、同様に、図１４には、複数の第２コンタクト１３のコンタクト側固定部１３Ｂの表面に形成されているコンタクト側防水形状部１３ＥがＹ方向において防水部材２０と重複する位置で第２インシュレータ１８内に埋め込まれている様子が示されている。
図１３および１４には、第１インシュレータ１７の一対の連結部１７Ｄの表面に形成されているハウジング側防水形状部１７ＦがＹ方向において防水部材２０と重複する位置で第２インシュレータ１８内に埋め込まれている様子も示されている。
【００３７】
なお、第１コンタクト１２のコンタクト側固定部１２Ｂの表面に形成されているコンタクト側防水形状部１２Ｅは、コンタクト側固定部１２Ｂの周囲を囲って閉じる複数の溝または複数の突起から構成され、第２コンタクト１３のコンタクト側固定部１３Ｂの表面に形成されているコンタクト側防水形状部１３Ｅも、コンタクト側固定部１３Ｂの周囲を囲って閉じる複数の溝または複数の突起から構成されている。
同様に、外周シェル１５の第１分割固定部１５Ｄの表面に形成されているシェル側防水形状部１５Ｅは、第１分割固定部１５Ｄの周囲を囲って閉じる複数の溝または複数の突起から構成され、第２分割固定部１５Ｆの表面に形成されているシェル側防水形状部１５Ｇも、第２分割固定部１５Ｆの周囲を囲って閉じる複数の溝または複数の突起から構成されている。
また、第１インシュレータ１７の連結部１７Ｄの表面に形成されているハウジング側防水形状部１７Ｆは、連結部１７Ｄの周囲を囲って閉じる複数の溝または複数の突起から構成されている。
【００３８】
この実施の形態に係るコネクタは、次のようにして製造することができる。
まず、ミッドプレート１１がミッドプレート保持部１７Ｂに保持されるように図８に示した第１インシュレータ１７を成形することにより、ミッドプレート１１と第１インシュレータ１７が一体化した１次成形部品を作製し、この１次成形部品の第１インシュレータ１７に形成された複数の貫通孔１７Ａに、図３および図４に示した複数の第１コンタクト１２および複数の第２コンタクト１３を圧入する。
【００３９】
次に、複数の第１コンタクト１２および複数の第２コンタクト１３をグランドプレート２１の開口部２１Ｅに通しながらグランドプレート２１を１次成形部品の第１インシュレータ１７に位置合わせすると共に、図１５に示されるように、１次成形部品にグランドプレート２１と外周シェル１５を図示しない金型内に位置合わせした状態で、溶融した絶縁性樹脂を金型内に注入して第２インシュレータ１８を成形する。
【００４０】
このとき、複数の第１コンタクト１２のコンタクト側固定部１２Ｂおよび複数の第２コンタクト１３のコンタクト側固定部１３Ｂと外周シェル１５の６本の第１分割固定部１５Ｄが、Ｙ方向において互いに重複する位置に配置されることとなるが、第１インシュレータ１７には、この重複位置に対応して開口部１７Ｅが形成されているため、溶融した絶縁性樹脂は、これらの部品の間に良好に流れ込みやすくなる。
【００４１】
その結果、複数の第１コンタクト１２のコンタクト側固定部１２Ｂ、複数の第２コンタクト１３のコンタクト側固定部１３Ｂ、外周シェル１５の６本の第１分割固定部１５Ｄと２本の第２分割固定部１５Ｆ、および第１インシュレータ１７の一対の連結部１７Ｄが第２インシュレータ１８内に埋め込まれる。そして、第１コンタクト１２のコンタクト側防水形状部１２Ｅ、第２コンタクト１３のコンタクト側防水形状部１３Ｅ、外周シェル１５のシェル側防水形状部１５Ｅおよび１５Ｇ、第１インシュレータ１７のハウジング側防水形状部１７Ｆに、第２インシュレータ１８を構成する絶縁性樹脂が密着される。
【００４２】
さらに、図１６に示されるように、第２インシュレータ１８の一対の固定用溝１８Ａにバックシェル１６の一対の固定用突起１６Ａを圧入して、バックシェル１６を第２インシュレータ１８に取り付けた後、第２インシュレータ１８の背部に露出している外周シェル１５の第１分割固定部１５Ｄの＋Ｙ方向端部にバックシェル１６をレーザ等により溶接して接続する。そして、第２インシュレータ１８の外周部に形成されている防水部材用溝１８Ｃにリング状の防水部材２０を嵌め込むことで、コネクタが製造される。
【００４３】
コネクタは、複数の第１コンタクト１２のコンタクト側基板接続部１２Ｃおよび複数の第２コンタクト１３のコンタクト側基板接続部１３Ｃと外周シェル１５のシェル側基板接続部１５Ｈおよびバックシェル１６のシェル側基板接続部１６Ｂを、それぞれ、図示しない電子機器内の基板の対応する接続パッドにはんだ付け等により接続し、嵌合軸Ｃが基板の表面に対して平行に延びた状態で使用される。
【００４４】
第２インシュレータ１８内に埋め込まれる複数の第１コンタクト１２のコンタクト側固定部１２Ｂおよび複数の第２コンタクト１３のコンタクト側固定部１３Ｂには、コンタクト側防水形状部１２Ｅおよび１３Ｅが形成されているので、たとえ、第１コンタクト１２のコンタクト側固定部１２Ｂおよび第２コンタクト１３のコンタクト側固定部１３Ｂの表面に密着されていた第２インシュレータ１８の絶縁性樹脂がこれらの表面から剥離し、相手側コネクタ収容部１５Ｂ内に露出している第１コンタクト１２の接点部１２Ａおよび第２コンタクト１３の接点部１３Ａからコンタクト側固定部１２Ｂおよび１３Ｂと第２インシュレータ１８との界面に沿って水が浸入したとしても、浸入した水は、コンタクト側防水形状部１２Ｅおよび１３Ｅによって遮断され、第２インシュレータ１８の背部に露出しているコンタクト側基板接続部１２Ｃおよび１３Ｃにまで至ることが防止される。
【００４５】
同様に、第２インシュレータ１８内に埋め込まれる外周シェル１５の第１分割固定部１５Ｄおよび第２分割固定部１５Ｆには、シェル側防水形状部１５Ｅおよび１５Ｇが形成されているので、たとえ、外周シェル１５の第１分割固定部１５Ｄおよび第２分割固定部１５Ｆの表面に密着されていた第２インシュレータ１８の絶縁性樹脂がこれらの表面から剥離し、相手側コネクタ収容部１５Ｂ内に露出している嵌合部１５Ａから第１分割固定部１５Ｄおよび第２分割固定部１５Ｆと第２インシュレータ１８との界面に沿って水が浸入したとしても、浸入した水は、シェル側防水形状部１５Ｅおよび１５Ｇによって遮断され、第２インシュレータ１８の背部にまで至ることが防止される。
【００４６】
また、第２インシュレータ１８内に埋め込まれる第１インシュレータ１７の連結部１７Ｄには、ハウジング側防水形状部１７Ｆが形成されているので、たとえ、相手側コネクタ収容部１５Ｂ内に露出している第１インシュレータ１７の表面に沿って水が浸入したとしても、浸入した水は、ハウジング側防水形状部１７Ｆによって遮断される。
【００４７】
さらに、コンタクト側防水形状部１２Ｅおよび１３Ｅ、シェル側防水形状部１５Ｅおよび１５Ｇ、ハウジング側防水形状部１７Ｆが、嵌合軸Ｃに沿ったＹ方向において互いに重複する位置に配置され、この重複位置に対応する第２インシュレータ１８の外周部にリング状の防水部材２０が配置されている。このため、防水部材２０が電子機器の筐体等により圧縮された状態でコネクタを電子機器に搭載したときに、防水部材２０が受ける圧縮力が第２インシュレータ１８を介してコンタクト側防水形状部１２Ｅおよび１３Ｅ、シェル側防水形状部１５Ｅおよび１５Ｇ、ハウジング側防水形状部１７Ｆに及び、これらの防水形状部における第２インシュレータ１８との密着力が増強されて、防水効果が向上することとなる。
【００４８】
このようにして、ハウジング１９の第２インシュレータ１８と第１コンタクト１２、第２コンタクト１３、外周シェル１５および第１インシュレータ１７との間の防水性を向上させて装置内部、すなわち防水コネクタが搭載される基板側に水が浸入することを防止することが可能となる。
【００４９】
なお、外周シェル１５のシェル側基板接続部１５Ｈおよびバックシェル１６のシェル側基板接続部１６Ｂを、それぞれ、図示しない電子機器内の基板の対応する接続パッドに接続してグランド電位とすることにより、ミッドプレート１１、グランドプレート２１、外周シェル１５およびバックシェル１６が共にグランド電位となり、電磁波による影響を抑制しつつ信頼性の高い信号伝送を行うことが可能となる。
【００５０】
また、第２インシュレータ１８の一対の平坦なハウジング外面１８Ｂが、外周シェル１５の嵌合部１５Ａの対応する平坦なシェル外面１５Ｃとほぼ同一面を形成し、第２インシュレータ１８の外周部に形成されている防水部材用溝１８Ｃの底面が、嵌合軸Ｃの方向から見て外周シェル１５の嵌合部１５Ａの内面よりも嵌合軸Ｃ側に位置しているので、コネクタのＺ方向高さが抑制され、薄型のコネクタを実現することが可能となる。
【００５１】
なお、実施の形態のコネクタにおいては、図１（Ａ）〜（Ｃ）等に示されるように、第２インシュレータ１８の＋Ｘ方向端部および−Ｘ方向端部が、外周シェル１５の嵌合部１５Ａの＋Ｘ方向端部および−Ｘ方向端部よりも外方へ突出しているが、外周シェル１５の一対の第２分割固定部１５Ｆをそれぞれ嵌合軸Ｃ側に一旦屈曲させることにより、第２インシュレータ１８のＸ方向の幅を外周シェル１５の嵌合部１５ＡのＸ方向の幅と同等の値として、Ｘ方向の幅の小さい小型のコネクタとすることができる。この場合、第２インシュレータ１８の外周部に形成されている防水部材用溝１８Ｃのすべての底面が、嵌合軸Ｃの方向から見て外周シェル１５の嵌合部１５Ａの内面よりも嵌合軸Ｃ側に位置していることが好ましい。
【００５２】
上記の実施の形態では、コンタクト側防水形状部１２Ｅがコンタクト側固定部１２Ｂの周囲を囲って閉じる複数の溝または複数の突起から構成され、コンタクト側防水形状部１３Ｅがコンタクト側固定部１３Ｂの周囲を囲って閉じる複数の溝または複数の突起から構成され、シェル側防水形状部１５Ｅが第１分割固定部１５Ｄの周囲を囲って閉じる複数の溝または複数の突起から構成され、シェル側防水形状部１５Ｇが第２分割固定部１５Ｆの周囲を囲って閉じる複数の溝または複数の突起から構成され、ハウジング側防水形状部１７Ｆは、連結部１７Ｄの周囲を囲って閉じる複数の溝または複数の突起から構成されているが、これらの溝または突起は、必ずしも周囲を囲って閉じるように形成される必要はなく、周に沿った一部分に形成されるだけでも防水の効果を得ることができる。ただし、周囲を囲って閉じるように溝または突起が形成される方が、より優れた防水機能を発揮することが可能となる。
【００５３】
また、コンタクト側防水形状部１２Ｅおよび１３Ｅ、シェル側防水形状部１５Ｅおよび１５Ｇ、ハウジング側防水形状部１７Ｆが、複数の溝または複数の突起から構成されているが、その代わりに、１つの溝または突起を形成しても、第２インシュレータ１８との界面に沿った水の浸入を抑制することはできる。ただし、複数の溝または複数の突起を形成した方が、より優れた防水効果が得られる。
なお、第２インシュレータ１８との界面に沿った水の浸入を抑制するために、溝または突起は、例えば０．０１ｍｍ以上の高低差を有することが望ましい。
【００５４】
上記の実施の形態では、複数の第１コンタクト１２と複数の第２コンタクト１３が、ミッドプレート１１の両面にそれぞれ対向するように２列に配列されているが、これに限るものではなく、複数のコンタクトが１列に配列されたコネクタにこの発明を適用することもできる。
また、コンタクトの個数は制限されるものではなく、１つ以上のコンタクトがハウジングに保持されていればよい。
【符号の説明】
【００５５】
１  ハウジング、２  シェル、３  コンタクト、３Ａ  接点部、３Ｂ  基板接続部、４  相手側コネクタ収容部、５  基板、６  防水部材、７  筐体、１１  ミッドプレート、１１Ａ  平板部、１１Ｂ  相手側コネクタ連結部、１１Ｃ  グランドプレート接続部、１２  第１コンタクト、１２Ａ，１３Ａ  接点部、１２Ｂ，１３Ｂ  コンタクト側固定部、１２Ｃ，１３Ｃ  コンタクト側基板接続部、１２Ｄ，１３Ｄ  突起、１２Ｅ，１３Ｅ  コンタクト側防水形状部、１３  第２コンタクト、１４  シェル、１５  外周シェル、１５Ａ  嵌合部、１５Ｂ  相手側コネクタ収容部、１５Ｃ  シェル外面、１５Ｄ  第１分割固定部、１５Ｅ，１５Ｇ  シェル側防水形状部、１５Ｆ  第２分割固定部、１５Ｈ  シェル側基板接続部、１６  バックシェル、１６Ａ  固定用突起、１６Ｂ  シェル側基板接続部、１７  第１インシュレータ、１７Ａ  貫通孔、１７Ｂ  ミッドプレート保持部、１７Ｃ  後方保持部、１７Ｄ  連結部、１７Ｅ  開口部、１７Ｆ  ハウジング側防水形状部、１７Ｇ  コンタクト用溝、１７Ｈ  凸部、１８  第２インシュレータ、１８Ａ  固定用溝、１８Ｂ  ハウジング外面、１８Ｃ  防水部材用溝、１９  ハウジング、２０  防水部材、２１  グランドプレート、２１Ａ，２１Ｂ  平坦部、２１Ｃ  接続部、２１Ｄ  切り欠き、２１Ｅ  開口部、Ｃ  嵌合軸。
【要約】
【課題】電磁波による影響を抑制すると共に防水性を向上させながらも容易に製造することができる薄型の防水コネクタを提供する。
【解決手段】第２インシュレータ１８の一対の平坦なハウジング外面１８Ｂは、外周シェル１５の嵌合部１５Ａの対応するシェル外面１５Ｃとほぼ同一面を形成し、第２インシュレータ１８に埋め込まれる第１コンタクト１２のコンタクト側防水形状部１２Ｅと第２コンタクト１３のコンタクト側防水形状部１３Ｅと外周シェル１５のシェル側防水形状部１５Ｅは、嵌合軸Ｃに沿った方向において互いに重複する位置に配置され、この重複位置における第２インシュレータ１８の外周部に形成された防水部材用溝１８Ｃに防水部材２０が嵌め込まれる。
【選択図】図６【図１】
0005925865.tif 000002
【図２】
0005925865.tif 000003
【図６】
0005925865.tif 000004
【図７】
0005925865.tif 000005
【図８】
0005925865.tif 000006
【図９】
0005925865.tif 000007
【図１０】
0005925865.tif 000008
【図１１】
0005925865.tif 000009
【図１２】
0005925865.tif 000010
【図１３】
0005925865.tif 000011
【図１４】
0005925865.tif 000012
【図１５】
0005925865.tif 000013
【図１６】
0005925865.tif 000014
【図１７】
0005925865.tif 000015
【図３】
0005925865.tif 000016
【図４】
0005925865.tif 000017
【図５】
0005925865.tif 000018